(57)【特許請求の範囲】
【請求項１】
特に印刷機、望ましくは枚葉印刷機を通して紙葉状材料を非接触に案内する装置であって、前記材料は運動経路に沿って引っ張られ、前記運動経路から離れて延びていて複数の空気吹出しノズルを有している案内面を有している、紙葉状材料を非接触に案内する装置において、
複数の空気吹出しノズル（４８）によって紙葉状材料（３０）の案内の際に形成される共通の流動パターン（隙間内流動７４）が、実質的に、前記運動経路の両側縁への方向にある分速度で定まって、一方の分速度は一方の側方縁、他方の分速度は他方の側方縁に属するように、前記案内面（３２）が中に配置されおよび／または配列されている複数の空気吹出しノズル（４８）を案内ゾーン（６８）の中に有していることを特徴とする、紙葉状材料を非接触に案内する装置。
【請求項２】
前記分速度が対称に両側方縁を向いている、請求項１記載の装置。
【請求項３】
前記案内面（３２）が前記案内ゾーン（６８）で形成されている、請求項１または２記載の装置。
【請求項４】
前記の隙間内流動（７４）が、紙葉搬送方向（３４）にラッパ状に広がっている、請求項１ないし３のいずれか１項に記載の装置。
【請求項５】
前記案内ゾーン（６８）の中の前記空気吹出しノズル（４８）が、紙葉搬送方向（３４）に対して直角の方向の複数の互いに食い違った列をなすように配列されている、請求項１ないし４のいずれか１項に記載の装置。
【請求項６】
紙葉搬送方向（３４）での後方の列の前記空気吹出しノズル（４８）が、食い違って前方に位置している各２つの前記空気吹出しノズル（４８）の吹出し空気の噴流の広がり領域（５４）の縁同志の交点（５６）と相対的に配置されている、請求項１ないし５のいずれか１項に記載の装置。
【請求項７】
前記空気吹出しノズル（４８）が、紙葉搬送方向に見て、前記交点（５６）の後方に配置されている、請求項６記載の装置。
【請求項８】
前記空気吹出しノズル（４８）が、紙葉搬送方向に見て、前記交点（５６）の前方に配置されている、請求項６記載の装置。
【請求項９】
前記交点（５６）までの距離が、最大でも、前方に位置した前記空気吹出しノズル（４８）同志の間隔（Ａ）の半分の大きさである、請求項８記載の装置。
【請求項１０】
前記空気吹出しノズル（４８）が前記交点（５６）に配置されている、請求項６記載の装置。
【請求項１１】
前記案内ゾーン（６８）の中の前記空気吹出しノズル（４８）が第１の空気吹出しノズル（４８′）と第２の空気吹出しノズル（４８″）で形成されていて、第１の空気吹出しノズル（４８′）は、前記案内面（３２）の紙葉搬送方向（３４）に走る中心線上に配置されていて、それらノズルの吹出し空気の噴流は実質的に紙葉搬送方向（３４）を向いており、第２の空気吹出しノズル（４８″）は、紙葉搬送方向（３４）に対して直角の方向の互いに食い違った複数の列をなすように配列されていて、それらノズルの吹出し空気噴流は対称的に前記案内面（３２）の両側方縁を向いている、請求項１ないし１０のいずれか１項に記載の装置。
【請求項１２】
前記第２の空気吹出しノズル（４８″）の吹出し空気噴流が、紙葉搬送方向（３４）に対して０°から９０°の間の角度をなして対称的に前記案内面（３２）の両側方縁を向いている、請求項１１記載の装置。
【請求項１３】
前記第２の空気吹出しノズル（４８″）の吹出し空気噴流が、吹出しの方向での後方に配置された２つの第２の空気吹出しノズル（４８″）によって形成された空隙を向いている、請求項１２記載の装置。
【請求項１４】
前記第２の空気吹出しノズル（４８″）の吹出し空気噴流が、実質的に、吹出しの方向での後方に配置された空気吹出しノズル（４８″）を向いている、請求項１２記載の装置。
【請求項１５】
前記空気吹出しノズル（４８″）が、前記案内面（３２）上にピラミッド状に配置されている、請求項１４記載の装置。
【請求項１６】
前記第２の空気吹出しノズル（４８″）の吹出し空気噴流が、実質的に、吹出しの方向での次の次にある後方の列に配置された前記第２の空気吹出しノズル（４８″）を向いている、請求項１２記載の装置。
【請求項１７】
前記第２の空気吹出しノズル（４８″）の吹出し空気噴流が、実質的に、紙葉搬送方向（３４）に対して直角の方向に向いている、請求項１２記載の装置。
【請求項１８】
前記案内面（３２）が、前記案内ゾーン（６８）の、紙葉搬送方向（３４）での前方に位置した流入ゾーン（６６）および／または後方に位置した流出ゾーン（７０）を有している、請求項１ないし１７のいずれか１項に記載の装置。
【請求項１９】
前記流入ゾーン（６６）が、紙葉搬送方向（３４）の方向に働く空気吹出しノズル（４８）の、幾つかの、望ましくは少なくとも一つの列を有している、請求項１ないし１８のいずれか１項に記載の装置。
【請求項２０】
前記流出ゾーン（７０）が、紙葉搬送方向（３４）に対して直角の方向に働く空気吹出しノズル（４８）の、幾つかの、望ましくは少なくとも一つの列を有している、請求項ないし１９のいずれか１項に記載の装置。
【請求項２１】
前記空気吹出しノズル（４８）が、紙葉搬送方向（３４）に直角の方向で対称的に働く、請求項２０記載の装置。
【請求項２２】
前記流入ゾーン（６６）および／または流出ゾーン（７０）が、前記材料（３０）の運動経路から後退する方向の丸み部分（７１，７３）を有している、請求項１ないし２１のいずれか１項に記載の装置。
【請求項２３】
前記流入ゾーン（６６）の前方に、紙葉（３０）に直角に当たるように吹出す空気吹出しノズル（７６）が少なくとも一つ位置している、請求項１ないし２２のいずれか１項に記載の装置。
【請求項２４】
前記案内面（３２）が、少なくとも二つの部分（３６）から成っていて、それら部分は、それぞれ、案内ゾーン（６８）、流入ゾーン（６６）、および／または流出ゾーン（７０）を有している、請求項１ないし２３のいずれか１項に記載の装置。
【請求項２５】
前記案内面（３２）またはその流入ゾーン（６６）が、その前方端部（４２）に、材料引っ張り装置のくわえ爪のための切欠き部分（４４）を有している、請求項１ないし２４のいずれか１項に記載の装置。
【請求項２６】
前記の各案内面（３２）が、一つの中央にある送風機（４０）によって吹出し空気の供給を受けている、請求項１ないし２５のいずれか１項に記載の装置。
【請求項２７】
前記の各案内面（３２）が、分散配置の送風機（８８）によって吹出し空気の供給を受けている、請求項１ないし２６のいずれか１項に記載の装置。
【請求項２８】
前記の各案内面（３２）に、覗き窓（９０）および／または操作場所（９２）が付属していて、それらによって、前記案内面（３２）の案内作用の観察および／または調整が行われ得る、請求項１ないし２７のいずれか１項に記載の装置。
【請求項２９】
前記覗き窓（９０）が、前記の各案内面（３２）の移行領域（流入ゾーン６６、流出ゾーン７０）に配置されている、請求項１ないし２８のいずれか１項に記載の装置。
【請求項３０】
前記操作場所（９２）によって、前記送風機（４０，８８）によって供給される案内用空気の流動パラメータの調整が可能である、請求項１ないし２９のいずれか１項に記載の装置。
【請求項３１】
前記流動パターンが、前両側縁の方向にある分速度に対して、前記紙葉状材料（３０）の運動方向にある分速度によって付加的に定められている、請求項１から３０のいずれか１項に記載の装置。
【発明の詳細な説明】
【０００１】
【発明の属する技術分野】
本発明は、特に印刷機、望ましくは枚葉印刷機を通して紙葉状材料を非接触に案内する装置であって、その材料は運動経路に沿って引っ張られ、運動経路から離れて延びていて複数の空気吹出しノズルを有している案内面を有している、紙葉状材料を非接触に案内する装置に関する。
【０００２】
【従来の技術】
印刷機において、紙葉状の材料を一つの案内面に沿って案内することが公知であって、そこでは、紙葉状の材料がその前方縁においてくわえ爪装置によって保持され、くわえ爪装置がその材料を一つの所定の運動経路に沿って引っ張る。その場合、運動経路は、真直ぐの経路であってよいし、凸または凹に曲がった経路であってもよい。遠心力の作用やその他の諸要因のために、引っ張られている紙葉がふらつく傾向があり、したがって、紙葉が案内面と接触することを排除できない。案内面と接触する間に、紙葉の損傷が起こり得る。つまり、少なくとも、インキ汚れによっての印刷品質の被害が片面印刷の場合にも両面印刷の場合にも起こり得る。案内面との接触を避けるために、流動する空気を紙葉に当てることが既に提案されている。そこでは、吸引空気流または吹出し空気流を発生させる吸引空気装置や吹出し空気装置が公知であって、空気流が、案内面にある複数の開口を経て紙葉に作用する。吸引空気流および／または吹出し空気流を生成する装置によれば、紙葉が空気の案内によってある一つの運動経路上に拘束されるということは達成されるが、案内面との接触がないことは保証されない。なぜならば、紙葉上に垂直に作用する空気流が、ふらつき、特に紙葉の端部のふらつきを防止し得ないからである。紙葉に吸引空気と吹出し空気が交互して当たることにより、特に吸引空気の領域で紙葉のインキ汚れが起こり得る。
【０００３】
DE-41 41 261 A1によって、空気吹出しノズルだけを有する装置が公知になっていて、そこにおいては、吹出しノズルの全体の中の各対が、相異なる流出角度でもって相互に交差する二つの空気流を発生させていて、それら空気流が、引っ張られている紙葉に当たっている。この特殊な吹出し空気流形成は、搬送される紙葉に吸引作用と支持作用を及ぼすはずである。それらノズルは、各対において一方のノズルの吹出し空気が隣接するノズルの出口開口に向いているように配置されている。案内の作用が不十分である。
【０００４】
【発明が解決しようとする課題】
したがって、本発明の目的は、紙葉状材料の、そのフォーマットや厚さに無関係な非接触の案内が、種々の機械速度の下で、処理機械、特に印刷機のすべての領域において、簡単で安価な方法で可能になるような、前記の種類の装置を提供することにある。
【０００５】
【課題を解決するための手段】
本発明によれば、この目的は、特許請求の範囲の請求項１に記述された特徴によって解決される。
【０００６】
案内面が、複数の空気吹出しノズル、すなわち、それらによって紙葉状材料の案内の際に形成される共通の流動パターン（隙間内流動）が、実質的に、運動経路の両側縁への方向にある分速度で定まって、一方の分速度は一方の側方縁、他方の分速度は他方の側方縁に属するように、配置されおよび／または配列されている複数の空気吹出しノズルを案内ゾーンの中に有していることによって、有利なこととして、案内面上においての材料の非接触の案内を可能にする。材料と案内面の間に生成される隙間内流動の、材料の両側縁の方向及び望ましくは対称にそれら両側縁に向かう方向の分速度が、一つの均一な空気層を形成させ、その空気層の上で材料が案内される。ふらつき運動、特に材料の後縁部のふらつき運動が回避される。本発明の他の有利な実施態様においては、案内面が、少なくとも二つの、材料の運動方向（搬送方向）に相前後して位置したゾーン、望ましくは一つの流入ゾーン、一つの案内ゾーン、および／または一つの流出ゾーンを有していて、それらゾーンの各々は、空気吹出しノズルのしかるべき構造および／または配置の故に相異なっている流動パターンを伴っている。これにより、有利なことに、相前後して位置したゾーンの各々における実質的に相互に無関係な流動パラメータの変更を達成することが可能であり、それにより、個々のゾーンの機能にマッチする特別な流動パターンが達成され得る。したがって、案内面上における材料の運動方向での歩みに応じて、相異なる機能上の要求が達せられる。それら機能上の要求に応じて、案内作用の相異なる影響が、相異なる流動パターンでのしかるべく適合させられた変化によって行われる。したがって、それぞれの案内面の上を引っ張られる一枚の紙葉状材料は、次々に相異なる流動パターンの作用を受けることになり、それにより、その材料の、ふらつきもインキ汚れもない運動が保証されている。その結果、機械の速度が高い場合であっても、紙葉状材料のための、案内面に沿っての非接触の案内の作用をする案内空気が作り出され得ると同時に、紙葉状材料、特に紙葉状材料の端部が、遠心力、慣性力、差圧、および／または乱流のために、ふらつき、したがって案内面の接触を起こしやすい重要な場所である移行場所には、特に、もっぱらそのような運動に反抗する働きをする流動パターンが存在する。相前後して位置したゾーンの、相異なる流動パターンとの組合わせは、紙葉状材料のふらつきがなく接触もない案内を機械の速度や材料の厚さやフォーマットに無関係に実現させるような一つの全体的流動パターンが、追加的な支持用および／または支援用送風装置を必要とすることなしに案内面に沿って形成されるように、相互に適合化される。
【０００７】
さらに他の実施態様が、残りの、従属請求項に示されている特徴から生じる。
【０００８】
【実施例】
次に、本発明の実施例について添付の図面を参照して説明する。
【０００９】
図１は、全体として参照番号１０をつけられた枚葉印刷機を概略的に示している。枚葉印刷機１０は、給紙装置１２、一つまたはより多くの、図示の例では４つの印刷装置１４、ニス引き装置１６、および排紙装置１８を有している。印刷装置１４は、ここでは詳しく説明しない圧胴２０と、他のある胴２２と、湿し装置とインキ装置の胴２４で成っている。印刷装置１４同志の間には紙葉送り胴２６が配置されており、反転胴２８が設けられていてもよい。紙葉３０の運動経路に沿って、案内面３２として参照番号をつけられた紙葉案内装置が配置されている。案内面３２は、真直ぐな形をなしていてよいし、凸または凹の曲がった形をなしていてもよいのであって、紙葉３０の運動経路に沿った領域内に、紙葉がその搬送の間に案内面３２やその他の枚葉印刷機１０の機械部分と接触しないようにすることを目的に配置されている。紙葉３０は、案内面３２との間に一定の距離をおいて、紙葉３０の前縁部をくわえる図示されていないくわえ爪装置によって、紙葉の運動経路に沿って引っ張られる。案内面３２は、給紙装置１２と第１の印刷装置１４の間、個々の印刷装置１４同志の間の紙葉送り胴２６や反転胴２８の領域内、そして排紙装置１８内に配置されている。案内面３２が、さらに、ここでは詳しく注視しない乾燥機の工程や圧胴２０への渡し装置と組合っていてもよい。各案内面３２は、紙葉搬送方向３４に見て中断なしのユニットとして形作られていればよい。つまり、それら案内面は、一体物で構成されていればよい。その中断のない案内面３２は、また、相前後して配置された複数の、さらに説明を要する方法で相互に結合された個別の部分３６で成っていてもよい。図１においては、例として、排紙装置１８の中に配置された案内面が、二つの部分３６で成っている。胴の回りに配置された凸または凹に曲げられた案内面３２は、同様に、複数の個別の部分で成っていてよく、その場合、それら部分は、やはり、共同して一つの中断のない案内面３２を生成している。複数ある個々の案内面３２は供給配管装置３８によって送風機４０に接続されている。枚葉印刷機１０の運転においは、送風機４０によって供給配管装置３８に吹き出し空気が供給され、その吹き出し空気は、複数の案内面３２上に配置された空気吹き出しノズルから出て、そこで、紙葉３０のための案内空気を形成する。
【００１０】
図２においては、一つの案内面３２の上面図が示されている。案内面３２は、真直ぐに延びていてよいし、凹または凸に曲がって延びていてもよいのであり、くわえ爪装置によって予め決められた紙葉３０のための運動経路に実質的に平行に延びるように配置されている。紙葉３０は、くわえ爪装置によって、案内面３２に沿って引っ張られ、そのことは、接触、特に紙葉後縁部の接触なしに行われるべきである。案内面３２からくわえ爪装置までの距離は、くわえ爪装置と案内面３２の間の衝突を防止するために、約 5〜30 mmになっている。案内面３２は、その紙葉搬送方向３４での前方の端部４２において、紙葉搬送方向３４に対して直角の方向に配置された複数の切欠き部４４を有していて、それら切欠き部４４が、くわえ爪装置の個々のくわえ爪に対応しているので、それらくわえ爪は、動くときには、案内面３２の領域に、案内面３２には衝突することなしに到達できる。案内面３２は、一つの平滑な表面４６を有している。案内面３２は、前述したように一体物であって、例えば１枚の板で成っていてよいし、紙葉搬送方向３４に対して直角の方向に配置された、相互に結合された複数のセグメントで成っていてもよい。それら個々のセグメントの結合は、個々のセグメントの表面４６が相互に密接かつ面が揃って移行するように行われる。案内面３２の表面４６の中に、複数の空気吹き出しノズル４８が取り入れられていて、それら空気吹き出しノズル４８は、図１に示された吹き出し空気のための供給配管装置３８と接続されている。そこでは、一つの案内面３２のすべての空気吹き出しノズル４８が、案内面３２の下方のしかるべき流路構造を通して供給配管と接続されていてよい。しかしまた、特に吹き出し空気の作用の受け方が場所によって相異なり得るように、案内面３２の空気吹き出しノズル４８をグループ分けして別々の供給配管に接続する、ということも可能である、空気吹き出しノズル４８の各々は、吹き出し空気噴流５２が出て来るところの空気出口開口５０を有している。案内面３２上に配置されたすべての空気吹き出しノズル４８の吹き出し噴流５２の総計が、案内面３２の上を引っ張られる紙葉３０のための案内空気を生成し、そこでは、本発明による特定の流動パターンが形成される。紙葉３０と表面４６の間に生成される隙間に隙間内流動が生成され、その隙間内流動が、案内面３２上においての紙葉３０の非接触の案内を確実にする。その場合、隙間内流動の流動パターンは、案内面３２上に配置されたすべての空気吹き出しノズル４８の吹き出し空気噴流５２の合体したものが、紙葉搬送方向３４にある隙間内流動の分速度と、紙葉中央から出て対称に、両側方の、紙葉搬送方向にある紙葉３０の縁に向けて延びるさらなる分速度を存在させるように、形成される。したがって、案内面３２上の全体にわたって、ラッパ状に広がっている一つの流動パターンが生成する。この隙間内流動の形態は、案内面３２上においての紙葉３０の最適の案内を確実にするので、紙葉３０は、ふらつきなく、したがって接触なく、案内される。表面４６上の空気吹き出しノズル４８の配置は、それら空気吹き出しノズル４８が、望ましくは紙葉搬送方向３４に対して直角の方向の複数の互いに食い��った列をなして配置されるように、選択されている。
【００１１】
図３に、空気吹き出しノズル４８の配置が説明的に示されている。案内面３２の表面４６上には、空気吹き出しノズル４８が並んだ第１の列が配置されている。それら空気吹き出しノズル４８は、相互間の間隔Ａを有している。各空気吹き出しノズル４８の空気出口開口５０の形状に対応して、出て来る吹き出し空気噴流５２は、特定の広がり領域５４を有している。広がり領域５４は、紙葉搬送方向３４に、漏斗状に広がっている。紙葉搬送方向３４に後方に配置された、食い違った第２の列の空気吹き出しノズル４８は、その各々が、前方に位置した空気吹き出しノズル４８の広がり領域５４の側縁同志の交点５６にあるように、配置されている。この、交点５６にあるという空気吹き出しノズル４８の配置は、案内面３２全体にわたって継続されている。このことにより、案内面３２とその上を案内される紙葉３０の間に一様な隙間内流動が確立され、したがって、紙葉３０のインキ汚れは起こらないことが達せられる。図３においては、上記のような空気吹き出しノズルの配置は、列の形では図示されておらず、単に、図の左側に図示された空気吹き出しノズルでもって、それがわかるように図示されている。しかしまた、空気吹き出しノズル４８を、交点５６に対して紙葉搬送方向３４での後方または前方に配置することも可能である。空気吹き出しノズル４８が交点５６に対して前方に配置されているのであれば、空気吹き出しノズル４８から紙葉搬送方向３４での交点５６までの距離は、最大としても、前方に配置された列での相隣る二つの空気吹き出しノズル４８の間隔Ａの半分であるのが望ましい。図３においては、後側に位置した空気吹き出しノズル４８の配列の３つの可能性を示している。左側の空気吹き出しノズル４８は、前述したように交点５６に、真中の空気吹き出しノズル４８は交点５６の後方に、右側の空気吹き出しノズル４８はしかるべき距離をもって交点５６の前方に配置されている。これら３つの配置の可能性のどれによっても、案内面３２上においての紙葉３０の接触のない案内が達成され、そこでは、前述した隙間内流動の分速度（複数）が確立される。
【００１２】
図４および５に、空気吹き出しノズル４８の構造が説明的に示されている。図４の断面図では、案内面３２が、空気吹き出しノズル４８が配置された各場所に開口５８を有していて、開口５８の中に空気吹き出しノズル４８が、空気案内面３２の表面４６に対して密着的に挿入されているということが示されている。空気吹き出しノズル４８の各々は、一つの軸対称形のノズルベッド６０を含んでいて、そのノズルベッド６０の中に、弓形の空気出口開口５０を有している一つのノズル受皿６２が挿入され、例えば接着されている。空気出口開口５０の下方では、ノズル受皿６２に、もう一つの受皿６４が、表面４６に対して角度αをもって配置されている。角度αは、25°であるのが望ましい。ノズルベッド６０の側表面が、対応する開口５８を貫通したうえでねじ６５を有していて、そのねじにナットがねじ込まれており、それにより、空気吹き出しノズル４８は案内面３２上に固定され得る。空気吹き出しノズル４８は、実質的に、軸対称形の部品、すなわち、曲げ加工、打ち抜き、レーザ切断、スタンピング、押し出し、深絞り、または、射出ダイカスト、圧力ダイカスト、または精密鋳造によって、製作技術上簡単に製作され得る部品で成っている。軸対称に作られているので、空気吹き出しノズル４８は、開口５８の中で、簡単な方法で、紙葉搬送方向３４に対して回転され、調整され得る。図５において示された空気吹き出しノズル４８の上面図では、空気出口開口５０が、前述したように弓形に延びて開口角度βを有しており、その角度が図３で示された広がり領域５４を決定しているということが明示されている。開口角度βは、場合々々の空気吹き出しノズル４８の使用目的や配置に応ずるように、15°から90°の間にわたっている。特定の配置の場合には、開口角度βは、さらに大きくでき、 360°も可能である。
【００１３】
空気吹き出しノズル４８は、供給配管装置３８を経て供給された空気の流動過程の中の各空気出口開口５０の前に圧力上昇をきたすような絞り箇所が存在するように、形成されている。これにより、空気吹き出しノズル４８の中の空気のポテンシャルエネルギー（手前側圧力）が、特に好都合な様相で運動エネルギーに転換されるので、空気は、高い速度でもって、紙葉３０と案内面３２の間に形成される隙間の中に流入できる。したがって、空気が一つの流動パターンに向かって広がることが、閉じられて紙葉３０を支えている一つの層でもって支援される。自由にある紙葉３０の影響領域の中の空気のための流出断面積を拡大させる弓形の空気出口開口５０によって、ベルヌーイの方程式により、空気吹き出しノズル４８を通って引っ張られる紙葉３０に及ぶ吸引作用が高まり得るので、紙葉は、その吸引作用と、紙葉搬送方向３４と特に対称に紙葉３０の両側縁に向けて広がる隙間内流動とのバランスによって、案内面３２上において接触なしに動かされ得る。空気吹き出しノズル４８の特別な形成の方法、特に角度αと空気出口開口５０の形成の方法によっては、紙葉３０と案内面３２の間に形成される隙間の中への、接線方向の空気吹き込みが支援される。
【００１４】
案内面３２が、案内されて動いている紙葉３０に例えば凹または凸に曲がった案内面３２におけるような高い遠心力が作用を及ぼすとか、紙葉３０の案内面３２とは反対の側に案内面３２の方向に働く乾燥機のエアドクタ(Luftrakel)が作用を及ぼすといった領域に配置された場合のためには、この高められた作用をバランスさせるために、αが、特に60°まで高められてよく、それにより、そのような影響力を相殺するするための、生成される隙間内流動の衝撃の分力が生ずる。
【００１５】
紙葉３０の接触のない案内の改善のためには、紙葉搬送方向３４に中断のない、特に一体物として形作られている案内面３２が、紙葉搬送方向３４に相前後している複数の機能的ゾーンを有している。図６は、そのように形作られた案内面３２を示している。一つの案内面３２が、相前後して配置された幾つかの、例えばそれぞれに一つの隙間によって互いに分離された部分３６で成っているという場合のためには、複数の機能的ゾーンに区分することが各部分３６と同じくなるのが望ましい。案内面３２は、相前後して並んだ、流入ゾーン６６、案内ゾーン６８、および流出ゾーン７０を有している。このゾーンの区分のない案内面３２は、いわばただ一つの、ここで案内ゾーン６８に相当するゾーンを有している。ゾーン６６，６８および７０は、それぞれのゾーンに課せられた機能上の要求に、そしてまた、案内面３２全体の中でのそれらゾーンの任務に関して、適合させられている。そこでの違いは、空気吹き出しノズル４８の図４および５で示された角度αおよび／またはβについての相異なる形成の仕方を含む、空気吹き出しノズル４８の構造および／または配置にあり得る。
【００１６】
流入ゾーン６６は、到来する紙葉３０が紙葉搬送方向３４とは逆の方向に引張り緊張されるように形作られている。そのために、複数の空気吹き出しノズル４８が、吹き出し空気噴流５２が互いに逆方向になるように、互いに食い違って２列に配置されている。この作られた形によって、流入ゾーン６６に流入した紙葉３０は、引張り緊張され、浮遊の位置で安定化され、したがって、紙葉３０が、ふらつくことなしに後続の案内ゾーン６８に流入し得ることが確実になる。紙葉搬送方向３４とは逆の方向の吹き出し空気噴流５２によって、紙葉３０が、発生した遠心力によって案内面３２に向かって案内され得ることが防止される。流入ゾーン６６は、案内面３２の全体と揃って、つまり平らであってよいし、しかるべく適合させられた凹または凸の形に曲がって延びていてもよい。前縁領域は、平らに形作られていてよいし、図７が詳しく示しているように丸みをもって形作られていてもよい。紙葉搬送方向３４とは逆の方向の吹き出し空気噴流５２は、同時に、その案内面３２の前に位置した領域からの、案内面３２とその上を案内される紙葉３０の間の隙間内流動のための、案内空気流動による影響が及ぶことを阻止する。流入ゾーン６６は、紙葉３０を保持するくわえ爪のための複数の切欠き部分４４を有しているので、流入ゾーン６６の領域の中には、案内面３２と紙葉３０の間に挟まり得る隙間の開きを最小にするような、一種の歯形ができている。
【００１７】
流入ゾーン６６に接続している案内ゾーン６８は、案内面３２のこの領域における紙葉３０の非接触の案内を引き受ける。空気吹き出しノズル４８の配置は、案内ゾーン６８の中に配置されたすべての空気吹き出しノズル４８の吹き出し空気噴流５２の合体したものが、隙間内流動の紙葉搬送方向３４の分速度と、紙葉中央から出て紙葉３０の一方の側縁に向かうもう一つの分速度と、紙葉３０の他方の側縁に向かうもう一つの分速度を設立するように、選択されている。最後に述べた二つの分速度は、互いに対称に形成されているのが好ましい。この場合、隙間内流動の３つの必要な分速度という条件が満たされるときは、空気吹き出しノズル４８の配置は、図２及び３において説明された配置とは異なって来る。空気吹き出しノズル４８は、どの場合であっても、それらが相互に相手を乱すことがないように、つまり、一つの空気吹き出しノズル４８の吹き出し空気噴流５２は、他の一つの空気吹き出しノズル４８の吹き出し空気噴流５２を相殺するとか、渦流にするとか、または類似のことがないように配置されている。
【００１８】
紙葉搬送方向３４の中で、案内ゾーン６８に流出ゾーン７０が接続していて、流出ゾーン７０は、同様に、つまり流入ゾーン６６のように、案内面３２から、つまり紙葉３０の運動経路から後退する方向の、図７で詳しく示されているような丸み部分を有していてよい。しかしまた、流出ゾーン７０は、この丸み部分なしに、つまり突然切れたように、形作られていてもよい。流出ゾーン７０の構造上の配置は、案内面３２に接続している機械の諸要素に左右される。案内面３２の後に、紙葉３０による接触が避けられるべきある機械要素が配置されているならば、流出ゾーン７０は、後続する案内装置より高くか、またはそれと同じ高さに配置される。しかし、紙葉３０が、後続する案内装置の機械要素、例えば前当て、紙葉制動具、紙葉展開具などの影響領域の中に移動されるべきであるならば、流出ゾーン７０は、より低く、ないし、最大でも同じ高さに配置される。流出ゾーン７０は、吹き出し空気噴流５２が紙葉搬送方向３４に対して直角の方向に向けられている複数の空気吹き出しノズル４８の配列を有している。それら空気吹き出しノズル４８は、紙葉中央から両側縁に向けて一様に離れて行く、隙間内流動の流動パターンができるように、流出ゾーン７０の中に対称に配置されている。これにより、紙葉３０の後縁が案内面３２を去るときにふらつき状態になってインキ汚れが起こる可能性が防止される。さらに、案内ゾーン６８の中に生じた案内空気、つまり隙間内流動が、案内面３２の配置された案内装置に作用を及ぼす可能性が防止される。したがって、案内空気、つまり案内面３２と紙葉３０の間に生じる隙間内流動の側方領域への流出が保証され、その結果、後続の重要な案内装置において、紙葉後縁のふらつき運動などが防止される。
【００１９】
図７において、紙葉搬送方向３４に相前後して配置された、どちらも案内面３２の共通の構成部分である二つの部分３６での乗り移りが示されている。紙葉搬送方向３４で前方に位置した部分３６の流出ゾーン７０のみならず、後方に位置した部分３６の流入ゾーン６６も、それぞれの平らな表面４６から後退する方向の丸み部分７１，７３を有していることが明示されている。それら部分３６は相互間に距離をおいて配置されているので、第１の部分３６の流出ゾーン７０と第２の部分３６の流入ゾーン６６の間に隙間７２ができている。ここでは、どの空気吹き出しノズル４８も矢印で示されていて、それらの個々についての詳しい説明はしないこととする。紙葉３０が、それら部分３６上を、図示されていないくわえ爪によって引っ張られるときには、紙葉３０と表面４６の間に、紙葉３０のための案内空気を形成する隙間内流動７４が形成される。コアンダ効果によって、隙間内流動７４は、一部分は紙葉３０に、他の部分は流出ゾーン７０の丸み部分７１に粘着的に付随する。その結果、紙葉３０の一部分が、流出ゾーン７０の丸み部分７１の上でインキ汚れを起こすことなく、隙間７２の中に引き込まれる。後続の部分３６の流入ゾーン６６の丸み部分７３上での紙葉３０のインキ汚れを防止するために、この部分には、少なくとも一つの空気吹き出しノズル７６が前置されていて、それら空気吹き出しノズル７６は、流入ゾーン６６と紙葉３０に空気層を生成させる。この追加の空気吹き出しノズル７６によって生成される空気流動７８は、隙間内流動７４の紙葉３０に粘着的に付随した部分と一緒になる。それにより、紙葉３０は、流入ゾーン６６に接触することがない。
【００２０】
図８においては、紙葉送り胴２６から、後置の胴、例えば圧胴２０への乗り移りが概略的に示されている。それら胴は、それぞれの軸の回りで回転し、それによって紙葉搬送方向３４を決めている。そこで紙葉３０は、図示されていないくわえ爪によって紙葉送り胴２６の回りを案内され、やはり図示されていない圧胴２０の案内装置に渡される。紙葉送り胴２６には曲がった案内面３２が従属していて、その案内面３２の表面４６は、胴２６の外套面に平行に延びている。案内面３２は、案内ゾーン６８と、紙葉３０の理想の運動経路から離れる方向の一つの丸み部分７１を有していて、その丸み部分７１は流出ゾーン７０を伴っている。流出ゾーン７０は、ここでは矢印で示されている複数の空気吹き出しノズル４８を有している。紙葉３０の運動の間には、紙葉３０に、両方の胴２６，２０の間の移行領域において、矢印８０で示されたとおりの、紙葉送り胴２６のそれの胴軸の回りの回転から来る遠心力や、形成されて案内空気として働いている隙間内流動７４の推進力が作用し、それらの力が紙葉３０のたわみ８１を起こさせる。隙間内流動７４は、ここでもコアンダ効果によって、一部分は紙葉３０に、また一部分は流出ゾーン７０に粘着的に付随する。隙間内流動７４の紙葉３０に付随した部分は、部分的に、胴２０の外套面に向かって案内され、そこで、渦流・停滞ゾーン８２を形成する。隙間内流動７４の流出ゾーン７０に付随した部分は、胴２０の回転方向とは逆の方向に流動する（矢印８４で示される）。胴２０の回転運動によって、その表面上に境界層８６が形成され、境界層８６は、渦流・停滞ゾーン８２の領域内に部分空気流を生成させる。渦流・停滞ゾーン８２を形成することにより、紙葉３０が遠心力やスラスト８０によって過度にたわむことが回避される。したがって、それと同時に、胴２０の外套面との接触も防止される。
【００２１】
図９から図１６までにおいては、案内面３２上での複数の空気吹き出しノズル４８の、他の可能なノズル配置が例示されている。図９から図１３までにおいては、案内面３２は案内ゾーン６８だけを有している。つまり、流入ゾーン６６や流出ゾーン７０を有していない。図１４から図１６までにおいては、流入ゾーン６６、案内ゾーン６８、および流出ゾーン７０を有する案内面３２の種々の実施例が示されている。どの案内面３２が、どのような使用目的、印刷機１０内のどのような組み込み形態のために企図されているかは、案内面３２上を案内される紙葉３０のインキ汚れの危険性の大きさに従っている。重要でない場所には、別に作り出された流入ゾーン６６や流出ゾーン７０のない案内面３２が設けられ得る。これらの、単に例として示された空気吹き出しノズル４８のノズル配置の種々の可能性に対して決定的であるのは、案内面３２の全体、または少なくとも案内ゾーン６８上において、隙間内流動、すなわち、すべての空気吹き出しノズル４８の中央で紙葉搬送方向３４にある分速度、紙葉中央から出て紙葉３０の一方の側縁に向かう他の分速度、および、紙葉３０の他方の側縁に向かう他の分速度を有する隙間内流動が形成されるということである。それら個々の空気吹き出しノズル４８は、それらの空気流動が相互に妨害し合うことがないように配置されている。
【００２２】
図９に示された実施例においては、案内面３２の、紙葉搬送方向３４に見たときの仮想中心線上に、複数の第１の空気吹き出しノズル４８′が配置されていて、それらの吹き出し空気噴流は、実質的に、紙葉搬送方向３４の方に向けられている。これら第１の空気吹き出しノズル４８′に関して対称に、仮想中心線の両側に複数の第２の空気吹き出しノズル４８″が配置されていて、それらの吹き出し空気噴流は、各側で、案内面３２の側縁に向けられている。そこでは、第２の空気吹き出しノズル４８″は、紙葉搬送方向３４に対して直角の方向に延びている互いに食い違った複数の列をなして配置されていて、それら空気吹き出しノズル４８″の吹き出し空気噴流は、紙葉搬送方向３４に関して90°未満の角度で対称に、紙葉搬送方向３４での両側の縁へと向いている。そこでは、第２の空気吹き出しノズル４８″は、相前後してある各列の中で、どの相互間でも食い違うように配置されている。ここでは、各空気吹き出しノズル４８″の吹き出し空気噴流は、その第２の空気吹き出しノズル４８″の吹き出し方向での後方に配置された二つの空気吹き出しノズル４８″で形成された空隙の中へと向いている。
【００２３】
図１０に示された変形例においては、やはり、案内面３２の、紙葉搬送方向３４に見たときの仮想中心線上に、複数の第１の空気吹き出しノズル４８′が配置されていて、それらの吹き出し空気噴流は、実質的に、紙葉搬送方向３４に向けられている。ここでもやはり設けられている複数の第２の空気吹き出しノズル４８″は、紙葉搬送方向３４に対して直角の方向に延びている互いに食い違った複数の列をなして配置されていて、第１の空気吹き出しノズル４８′は、空気吹き出しノズル４８″の１列おきの各列と同じ高さにある。それら第２の空気吹き出しノズル４８″の吹き出し空気噴流は、紙葉搬送方向に関して90°未満の角度で対称に、案内面３２の両側縁へと向いている。第２の空気吹き出しノズル４８″は、各第２の空気吹き出しノズル４８″の吹き出し空気噴流が、実質的に、吹き出し方向での後方に配置された、その第２の空気吹き出しノズル４８″の紙葉搬送方向３４での次の列の空気吹き出しノズル４８″に向けられるように、相前後してある二つの列の間で互いに食い違って配置されている。
【００２４】
図１１に示された実施例においては、やはり、実質的に紙葉搬送方向３４に吹き出していて案内面３２の仮想の中心線上に配置された、複数の第１の空気吹き出しノズル４８′が設けられている。やはり紙葉搬送方向３４に対して直角の方向に延びている複数の互いに食い違った列をなして配置された複数の第２の空気吹き出しノズル４８″は、直接に相前後してある二つの列の間で、対称ではなく相互に食い違うように、相互に食い違って配置されている。それにより、各第２の空気吹き出しノズル４８″の吹き出し空気噴流は、実質的に、その第２の空気吹き出しノズル４８″の次の次の列の空気吹き出しノズル４８″に向けられることが実現されている。図１２と図１３においては、複数の第１の空気吹き出しノズル４８′が、やはり案内面３２の、紙葉搬送方向３４での仮想の中心線上に配置されていて、それらの吹き出し空気噴流は、実質的に、紙葉搬送方向３４に向いている。複数の第２の空気吹き出しノズル４８″が、やはり紙葉搬送方向３４に対して直角の方向の互いに食い違った複数の列をなして配置されていて、それら第２の空気吹き出しノズル４８″の吹き出し空気噴流は、実質的に、紙葉搬送方向３４に対して直角の方向で対称に、案内面３２の両側縁へと向けられている。図１２と図１３における両実施例は、各列に配置されている第２の空気吹き出しノズル４８″の数においてだけ互いに異なっている。
【００２５】
図１４に示された実施例では、案内面３２が二つの互いに平行に延びた列の中を複数の空気吹き出しノズル４８を有している流入ゾーン６６を有しており、それらの吹き出し空気噴流は互いに相反する方向にある。空気吹き出しノズル４８の第１列の吹き出し空気噴流は、実質的に紙葉搬送方向３４に向いている一方で、空気吹き出しノズル４８の第２列の吹き出し空気噴流は，実質的に紙葉搬送方向３４に対して逆方向に向いている。そこでは、それら二つの列の空気吹き出しノズルは、対称に互いに食い違って配列されている。案内ゾーン６８の中に配置された複数の空気吹き出しノズル４８は、やはり案内面３２の仮想の中心線上に配置された第１の空気吹き出しノズル４８′と、紙葉搬送方向３４に対して直角方向に延びている複数の列をなして配置されている第２の空気吹き出しノズル４８″で構成されている。その際、各第２の空気吹き出しノズル４８″は、隣の列に配置された空気吹き出しノズル４８″に対して、第２の空気吹き出しノズル４８″の紙葉搬送方向３４に延びたピラミッド状の構造が生じるように食い違って配置されている。そこでは、各第２の空気吹き出しノズル４８″の吹き出し空気噴流は、実質的に、紙葉搬送方向３４での後方に配置された列の中に配置された空気吹き出しノズル４８″へと向けられている。流出ゾーン７０の中では、空気吹き出しノズル４８が、二つの互いに平行に延びている列の中に配置されていて、それらの吹き出し空気噴流は、紙葉搬送方向３４に対して直角方向で対称に延びる流動パターンができるように、方向づけされている。
【００２６】
図１５に示された実施例では、案内面３２は、図１２で示されたものに対応している流入ゾーン６６を有している。案内ゾーン６８の中では、やはり、複数の第１の空気吹き出しノズル４８′が、案内面３２の仮想の中心線上に配置され、複数の第２の空気吹き出しノズル４８″が、紙葉搬送方向３４に対して直角の方向に延びている複数の列の中に配置されている。それら第２の空気吹き出しノズル４８″は、各空気吹き出しノズル４８″の吹き出し空気噴流が、第２の空気吹き出しノズル４８″の吹き出し空気の方向での後側に配置された二つの空気吹き出しノズル４８″によって形成された間隙の中に向けられるように、相前後してある列の中で互いに食い違って配置されている。流出ゾーン７０の複数の空気吹き出しノズル４８は、ここでは、一つの列の上に配置されており、それらの吹き出し空気噴流は、紙葉搬送方向３４に対して直角方向で対称な向きになっている。
【００２７】
図１６は、流入ゾーン６６の中で、やはり、複数の空気吹き出しノズル４８が、既に図１４と図１５で説明したように、紙葉搬送方向３４に対して直角方向の二つの互いに食い違った列の上に配置されている実施例が示されている。案内ゾーン６８の中には、ここでも、複数の空気吹き出しノズル４８が、やはり紙葉搬送方向３４に対して直角の方向に延びている複数の列の中に配置されていて、それらの吹き出し空気噴流は、実質的に、紙葉搬送方向３４に向けられている。図１６のような、案内ゾーン６８内の空気吹き出しノズル４８の配置においては、図３において例を示したような、空気吹き出しノズル４８の上下関係距離を考慮するべきである。
【００２８】
図１７には、他の枚葉印刷機１０の全体図が概略的にされている。図１におけると同じ部分は、同じ参照番号をつけてあり、さらに説明はしない。図１７に示された図を用いて案内面３２への空気の供給の、可能な諸変形を説明する。案内面３２は、やはり、平らな形を有していてよく、凹または凸に曲がった形を有していてもよい。案内面３２および／または案内面３２の各区域の上、または、流入ゾーン６６および／または案内ゾーン６８および／または流出ゾーン７０のような、案内面３２の個々の部分３６の中での、個々の空気吹き出しノズル４８の配置に関しては、前出の各図での説明を参照されたい。基本的には、具体的な使用の各場合に対応する方式が可能である。
【００２９】
原理的には、案内面３２の下方に、例えば、四角形断面の管として形作られていて図１に示された供給配管装置３８の構成要素であるというような複数の別々の空気供給ユニットを配置することが可能である。しかし、代案として、案内面３２が、それ自体、紙葉３０に向いた側に複数の空気吹き出しノズル４８が取り付けられている例えば板金製の箱のような中空体として形作られていてよい。その場合、紙葉３０に向いた側が、空気吹き出しノズル４８を収容するための開口５８（図４）を有しているか、または、空気吹き出しノズル４８が、紙葉３０に属する壁に、例えば、直接打ち抜き／成形される(eingestanzt)。案内面３２を有する中空体は、構造上、例えば仕切り壁を用いることにより、個々の互いに分離されたセグメントに区分されていてよい。それらセグメントは、紙葉搬送方向３４に並んでいてよいし、紙葉搬送方向３４に対して直角の方向に並んでいてもよい。例えば、流入ゾーン６６、案内ゾーン６８、および流出ゾーン７０を有する案内面３２を形成する際、これらゾーンの各々が固有のセグメントに付属していてよい。個々のセグメントは、やはり、図１に示した実施例におけるように、供給配管装置３８に共通に接続されてよいし、またはそれぞれに一つの分離されたラインで、それに接続されてもよい。したがって、枚葉印刷機１０のすべての案内面３２が、一つの中央の送風機４０から吹き出し空気を供給される。しかし、複数の個別の送風機４０を設けること、つまり、例えば、個々の印刷装置１４に属している案内面３２（複数）ごとに一つの送風機４０を設けることも可能である。それにより、各送風機４０に属する供給配管装置３８が小さくなり、したがって、圧力損失(Zuleitungsverlust)の発生が少なくなる。さらに、案内面３２に直接、つまり案内面の下方に配置された送風機８８を直接案内面に付属させるということが可能である。このことは図１８から知られる。これにより、圧力損失がさらに減少することが可能になる。さらに、送風機８８を直接、案内面３２に付属させる場合には、空気の吸引が、空気が排気として出て来るところ、つまり、紙葉３０のための案内空気として使われた後に紙葉の両側縁または案内面３２に設けられた流出開口から出てくるところにおいて可能である。それにより、非常に有利なことに、紙葉３０の接触のない案内に用いられた案内空気（隙間内流動７４）による、枚葉印刷機１０の諸機械部品、例えば圧胴２０に及ぼされる影響が大いに回避される。場合によっては、この排気を、適当な空気誘導装置によって直接、送風機８８に供給することができ、その場合、枚葉印刷機１０の外にある新鮮な空気の、要求に応ずる所望の、つまり 0〜100%の混合比での混合が可能である。
【００３０】
一つの案内面３２の個々のセグメントまたは構成部分を、例えば、枚葉印刷機１０における個々の案内面３２の交換が、標準化された寸法で作ることができ、それにより、それら案内面の容易な相互交換や各使用目的への適合化が問題なしに可能になる。特に、例えば、枚葉印刷機１０における個々の案内面３２の交換が、処理されるべき材料つまり紙葉３０のために、例えば流入ゾーンおよび／または流出ゾーン６６，７０が有るか無いかの、案内面３２の相異なる製作が必要な場合には、行なわれる。そのようにして、新しい要求に合わせるための印刷機１０の装備変更が最短の時間で行われ得る。印刷機１０への案内面３２の機械的固定や案内面３２の個々のセグメントの相互接合の詳細には、本発明では立ち入らないことにする。
【００３１】
図１７において明らかであるように、個々の案内面３２に、特に案内面の、案内装置の傍らでの重要な乗り移りの箇所に、案内面３２の案内作用の観察を可能にするような覗き窓９０が付属していてよい。各覗き窓９０には、案内面３２への空気供給や案内面３２自体での空気の通過に影響を与えることを可能にするような操作場所９２が付属している。操作場所９２によって、例えば、供給空気の流動の諸パラメータが変更され得て、そこでは、中央の送風機４０（図１）と分散配置の送風機８８のどちらが設けられているかは問題でない。例えば、ノズル前圧力、空気の流量および／または流速の制御が行われる。さらに、各案内面３２または案内面３２の個々のセグメントに絞り要素が付属していてよく、それら絞り要素は、案内面３２への供給配管の中、または案内面の中に直接配置される。それにより、個々の案内面３２または案内面３２の個々のセグメントの流動パラメータに、相互間で無関係に影響を与えることが可能になる。送風機８８が分散配置されている場合には、それら送風機の回転数が例えば制御され得て、それにより、流動パラメータが影響を受けることになる。個々の流動パラメータの分散型の制御によって、他の案内面３２への逆作用のない制御が可能になる。したがって、総括的に、枚葉印刷機１０の全体が、実際の機械速度、紙葉３０の種類や厚さ、および／または紙葉３０の種々のフォーマットに対して最適に設定される。その設定は、操作場所９２で人手で行われてよいが、中央の電子的制御によって自動的にも行われる。その場合には、操作場所９２の利用によって、場合によって、個々の領域、つまり個々の案内面３２または案内面３２の個々のセグメントの手直し制御が行われ得る。
【００３２】
要約するに、図１〜１７に示された諸解決策によって、枚葉印刷機１０の全体を通しての紙葉３０の接触のない案内の可能性が生じる。パラメータが可変であることにより、案内の適合化が問題なしに行われ得て、その結果、例えば機械の速度、フォーマットおよび／または厚さに関係しない、接触のない案内が常に保証され、または設定され得る。
【００３３】
【発明の効果】
以上説明したように、本発明によれば、紙葉状材料のそのフォーマットや厚さに無関係な非接触の案内が、種々の機械速度の下で、処理機能、特に印刷機のすべての領域において、簡単で安価な方法で可能になる。
【図面の簡単な説明】
【図１】枚葉印刷機の概略的側面図である。
【図２】枚葉印刷機の一つの案内面の上面図である。
【図３】案内面上での空気吹き出しノズルの配置の可能性を示す図である。
【図４】空気吹き出しノズルの概略的な側面断面図である。
【図５】空気吹き出しノズルの概略的な上面図である。
【図６】別の実施例での案内面の上面図である。
【図７】案内面の二つの部分同志間での乗り移りを概略的に示す図である。
【図８】案内面の一つの部分と胴の間での乗り移りを概略的に示す図である。
【図９】一つの案内面上での空気吹き出しノズルの配置の可能性を示す図である。
【図１０】一つの案内面上での空気吹き出しノズルの配置の可能性を示す図である。
【図１１】一つの案内面上での空気吹き出しノズルの配置の可能性を示す図である。
【図１２】一つの案内面上での空気吹き出しノズルの配置の可能性を示す図である。
【図１３】一つの案内面上での空気吹き出しノズルの配置の可能性を示す図である。
【図１４】一つの案内面上での空気吹き出しノズルの配置の可能性を示す図である。
【図１５】一つの案内面上での空気吹き出しノズルの配置の可能性を示す図である。
【図１６】一つの案内面上での空気吹き出しノズルの配置の可能性を示す図である。
【図１７】別の実施例での枚葉印刷機の概略図的側面図である。
【符号の説明】
１０  枚葉印刷機
１２  給紙装置
１４  印刷装置
１６  ニス引き装置
１８  排紙装置
２０  圧胴
２２  胴
２４  胴（インキ装置、湿し水装置の）
２６  紙葉送り胴
２８  反転胴
３０  紙葉
３２  案内面
３４  紙葉搬送方向
３６  案内面３２における部分
３８  供給配管装置
４０  送風機
４２  案内面３２の端部
４４  案内面３２の切欠き部
４６  案内面３２の表面
４８  空気吹き出しノズル
５０  空気出口開口
５２  吹き出し空気射出
５４  吹き出し空気射出５２の広がり
５６  交点（吹き出し空気噴流の広がりの縁同志の）
５８  開口（空気吹き出しノズル４８取付け用の）
６０  ノズルベッド
６２  ノズル受皿
６４  受皿
６５  ねじ
６６  流入ゾーン
６８  案内ゾーン
７０  流出ゾーン
７１  流出ゾーン７０の丸み部分
７２  隙間（案内面３２同志間の）
７３  流入ゾーン６６の丸み部分
７４  隙間内流動
７６  空気吹き出しノズル
７８  空気流動
８０  遠心力、推進力
８１  たわみ（紙葉３０の）
８２  渦流・停滞ゾーン
８４  空気流動
８６  境界層
８８  送風機
９０  覗き窓
９２  操作場所
【図１】
0003655670.tif 000002
【図２】
0003655670.tif 000003
【図３】
0003655670.tif 000004
【図４】
0003655670.tif 000005
【図５】
0003655670.tif 000006
【図６】
0003655670.tif 000007
【図７】
0003655670.tif 000008
【図８】
0003655670.tif 000009
【図９】
0003655670.tif 000010
【図１０】
0003655670.tif 000011
【図１１】
0003655670.tif 000012
【図１２】
0003655670.tif 000013
【図１３】
0003655670.tif 000014
【図１４】
0003655670.tif 000015
【図１５】
0003655670.tif 000016
【図１６】
0003655670.tif 000017
【図１７】
0003655670.tif 000018